(57)【要約】【課題】抽選により当たりが成立している場合において、いわゆる目押しをできない遊技者が当たり遊技を得るまでの遊技媒体の消費を少なくできるとともに、遊技性も損なわない遊技機を得ることを目的とする。【解決手段】特別停止ボタンスイッチ部１５ａ〜１５ｃ、特別停止制御部を備え、抽選部による抽選で当たりの場合でかつ通常停止制御部が最後に停止させるリール以外のすべてのリールの当たり図柄を停止図柄表示部１２に停止表示した後に、特別停止制御部が遊技者の操作による特別停止ボタンスイッチ部１５ａ〜１５ｃからの特別停止指示を入力した場合に最後に停止させるリールの当たり図柄を停止図柄表示部１２に停止表示することにより、遊技者が当たり遊技を得られるようにした。【選択図】        図１
2005021514.tif 000002
【特許請求の範囲】
【請求項１】
複数の図柄を変動表示するとともに停止表示する変動停止図柄部を複数備えた図柄表示装置と、遊技者により操作されて変動停止図柄部の停止を指示する通常停止指示手段と、各変動停止図柄部の停止図柄を遊技者に見せる停止図柄表示部と、当たり外れ抽選を行う抽選部と、抽選部による抽選で当たりの場合において通常停止指示手段からの通常停止指示を所定のタイミングで入力した場合に変動停止図柄部の当たり図柄を停止図柄表示部に停止表示させ、かつ、通常停止指示を所定のタイミング以外で入力した場合に変動停止図柄部の外れ図柄を停止図柄表示部に停止表示させる通常停止制御部と、特別停止指示手段と、特別停止制御部とを備え、抽選部による抽選で当たりの場合でかつ通常停止制御部が最後に停止させる変動停止図柄部以外のすべての変動停止図柄部の当たり図柄を停止図柄表示部に停止表示した後に、特別停止制御部が遊技者の操作による特別停止指示手段からの特別停止指示を入力した場合に最後に停止させる変動停止図柄部の当たり図柄を停止図柄表示部に停止表示することにより、遊技者が当たり遊技を得られるようにしたことを特徴とする遊技機。
【請求項２】
複数の図柄を上下方向又は左右方向に変動表示するとともに停止表示する変動停止図柄部を複数備えた図柄表示装置と、変動停止図柄部毎に対応して設けられ遊技者により操作されて変動停止図柄部の停止を指示する通常停止指示手段と、各変動停止図柄部の停止図柄を遊技者に見せるためにｍ行ｎ列でｍ×ｎ個（ｍ，ｎのうちの一方は１以上の整数、他方は２以上の整数）の停止図柄を表示する大きさに形成された停止図柄表示部と、当たり外れ抽選を行う抽選部と、抽選部による抽選で当たりの場合において通常停止指示手段からの通常停止指示を所定のタイミングで入力した場合に停止図柄表示部において決められている当たり有効ライン上に変動停止図柄部の当たり図柄を停止表示させ、通常停止指示を所定のタイミング以外で入力した場合に当たり有効ライン上に変動停止図柄部の外れ図柄を停止表示させる通常停止制御部と、特別停止指示手段と、特別停止制御部と、遊技制御部とを備え、遊技開始操作機構からの遊技開始操作又は遊技領域に発射された球の入賞部品への入賞を契機として遊技制御部が図柄表示装置の各変動停止図柄部に変動表示を行わせるとともに抽選部に当たり外れ抽選を行わせ、抽選部による抽選で当たりの場合でかつ通常停止制御部が最後に停止させる変動停止図柄部以外のすべての変動停止図柄部の当たり図柄を停止図柄表示部の当たり有効ライン上に停止表示した後に、特別停止制御部が遊技者の操作による特別停止指示手段からの特別停止指示を入力した場合に最後に停止させる変動停止図柄部の当たり図柄を停止図柄表示部の当たり有効ライン上に停止表示することにより、遊技者が当たり遊技を得られるようにしたことを特徴とする遊技機。
【請求項３】
抽選部による抽選で当たりの場合でかつ通常停止制御部が最後に停止させる変動停止図柄部以外のすべての変動停止図柄部の当たり図柄を停止図柄表示部の当たり有効ライン上に停止表示した後に、特別停止指示手段からの特別停止指示が特別停止制御部に入力されずに、通常停止制御部が遊技者の操作による最後の変動停止図柄部に対応する通常停止指示手段からの通常停止指示を所定のタイミングで入力した場合に最後に停止させる変動停止図柄部の当たり図柄を停止図柄表示部の当たり有効ライン上に停止表示することにより、遊技者が当たり遊技を得られるようにしたことを特徴とする請求項２に記載の遊技機。
【請求項４】
最後に停止させる変動停止図柄部以外のすべての変動停止図柄部の当たり図柄が図柄停止表示部の当たり有効ライン上に停止表示されたことを検出する検出部を備え、この検出部からの検出信号を遊技制御部が入力してから所定時間が経過しても特別停止指示手段及び最後の変動停止図柄部に対応する通常停止指示手段が操作されず特別停止制御部及び通常停止制御部に停止指示が入力されない場合には通常停止制御部が最後に停止させる変動停止図柄部の当たり図柄を停止図柄表示部の当たり有効ライン上に停止表示させないことにより、遊技者が当たり遊技を得られないようにしたことを特徴とする請求項２又は請求項３に記載の遊技機。
【請求項５】
変動停止図柄部が複数の当たり図柄を備え、特別停止指示手段が当たり図柄の種類毎に設けられ、特別停止制御部がどの当たり図柄に対応する特別停止指示手段からの特別停止指示であるか判定する特別停止指示判定部を備えたことを特徴とする請求項１ないし請求項４のいずれかに記載の遊技機。
【発明の詳細な説明】
【０００１】
【発明の属する技術分野】
この発明は、最後に停止させる変動停止図柄部（例えば）の停止をアシストする機能を備えたスロットマシンやパチンコ機等の遊技機に関する。
【０００２】
【従来の技術】
当たり外れ抽選による抽選で当たりになった後において、遊技者が当たり図柄に停止させることができずに所定回数のゲームを消化した以後、図柄停止ボタンを操作しないままでいると当たり図柄に揃うようにリールを停止して遊技者が当たり遊技を得られるようにしたオートストップ機能を備えたスロットマシンが知られている（例えば、特許文献１参照）。一般にスロットマシンの場合、抽選により当たり（例えば「ビックボーナス」，「レギュラーボーナス」等と呼称される）が成立しても最終的には遊技者に停止図柄を見せる停止図柄表示部の有効ライン上に当たり図柄が揃うようにリールを停止させないと遊技者は当たり遊技を得られない。つまり、遊技者が停止ボタンスイッチ部を押して図柄を揃わせなくてはならない。この場合、スロットマシンの制御装置は、複数の図柄を備えたリールの回転中に所定のタイミングで停止ボタンスイッチ部が押されて停止指示を入力した時に当たり有効ライン上に当たり図柄を停止させる。しかし、通常、左、中央、右の３つのリールを備え、左側のリールから順番に停止させていくスロットマシンにおいては、特に、右側のリール、即ち最後に停止させるリールにおいては当たり図柄が少ないように図柄配置されているので、いわゆる目押し（回転中のリール上の当たり図柄が有効ライン上に停止するように回転中のリール上の当たり図柄を目で確認して停止ボタンスイッチ部を押すこと）をできない遊技者が停止ボタンスイッチ部を所定のタイミングで操作することは困難であり、このため、抽選で当たりが成立していたとしても当たり有効ライン上にすべてのリールの当たり図柄を停止させることができず、なかなか当たり遊技を得ることができないという問題があったが、特許文献１では上述したオートストップ機能を備えているので、目押しをできない遊技者でも所定回数のゲームを消化した後は当たり遊技を得ることができる。
【０００３】
【特許文献１】
特開２００２−４５４６８号公報
【０００４】
【発明が解決しようとする課題】
特許文献１では、抽選により当たりが成立してから当たり遊技が得られるまでに所定回数のゲームを消化しなければならず時間がかかるので、目押しをできない遊技者は当たり遊技を得るまでに多くの遊技メダル（遊技媒体）を消費しなければならないし、遊技店にとっても稼働率が悪くなるので好ましくないという課題があった。
また、特許文献１の段落００４２においては、「大当たりが抽選されたゲームでオートストップ処理を用いてもよい。」とあるが、このようにすると、抽選により当たりが成立してから遊技者が図柄停止ボタンを全く操作せずに当たり図柄に停止してしまう。即ち、遊技者による操作介入なしに当たり図柄に停止して当たり遊技となるので、遊技者は当たり図柄に停止させて当たり遊技を得たという満足感を得られず、遊技機において重要な要素である遊技性に欠けるという課題があった。
本発明は、抽選により当たりが成立している場合において、いわゆる目押しをできない遊技者が当たり遊技を得るまでの遊技媒体の消費を少なくできるとともに、遊技性も損なわない遊技機を得ることを目的とする。
【０００５】
【課題を解決するための手段】
本発明による遊技機は、複数の図柄を変動表示するとともに停止表示する変動停止図柄部を複数備えた図柄表示装置と、遊技者により操作されて変動停止図柄部の停止を指示する通常停止指示手段と、各変動停止図柄部の停止図柄を遊技者に見せる停止図柄表示部と、当たり外れ抽選を行う抽選部と、抽選部による抽選で当たりの場合において通常停止指示手段からの通常停止指示を所定のタイミングで入力した場合に変動停止図柄部の当たり図柄を停止図柄表示部に停止表示させ、かつ、通常停止指示を所定のタイミング以外で入力した場合に変動停止図柄部の外れ図柄を停止図柄表示部に停止表示させる通常停止制御部と、特別停止指示手段と、特別停止制御部とを備え、抽選部による抽選で当たりの場合でかつ通常停止制御部が最後に停止させる変動停止図柄部以外のすべての変動停止図柄部の当たり図柄を停止図柄表示部に停止表示した後に、特別停止制御部が遊技者の操作による特別停止指示手段からの特別停止指示を入力した場合に最後に停止させる変動停止図柄部の当たり図柄を停止図柄表示部に停止表示することにより、遊技者が当たり遊技を得られるようにしたので、抽選により当たりが成立している場合において、いわゆる目押しをできない遊技者が特別停止指示手段を操作することにより、当たり遊技を得るまでの遊技媒体の消費を少なくできるとともに、抽選により当たりが成立している場合においても、最後に停止させる変動停止図柄部以外のすべての変動停止図柄部の停止指示は遊技者が通常停止指示手段を操作することにより行い、最後に停止させる変動停止図柄部以外のすべての変動停止図柄部の当たり図柄を停止図柄表示部に停止表示させるためには遊技者の技術介入を伴うので、遊技性も損なわない。
また、複数の図柄を上下方向又は左右方向に変動表示するとともに停止表示する変動停止図柄部を複数備えた図柄表示装置と、変動停止図柄部毎に対応して設けられ遊技者により操作されて変動停止図柄部の停止を指示する通常停止指示手段と、各変動停止図柄部の停止図柄を遊技者に見せるためにｍ行ｎ列でｍ×ｎ個（ｍ，ｎのうちの一方は１以上の整数、他方は２以上の整数）の停止図柄を表示する大きさに形成された停止図柄表示部と、当たり外れ抽選を行う抽選部と、抽選部による抽選で当たりの場合において通常停止指示手段からの通常停止指示を所定のタイミングで入力した場合に停止図柄表示部において決められている当たり有効ライン上に変動停止図柄部の当たり図柄を停止表示させ、通常停止指示を所定のタイミング以外で入力した場合に当たり有効ライン上に変動停止図柄部の外れ図柄を停止表示させる通常停止制御部と、特別停止指示手段と、特別停止制御部と、遊技制御部とを備え、遊技開始操作機構からの遊技開始操作又は遊技領域に発射された球の入賞部品への入賞を契機として遊技制御部が図柄表示装置の各変動停止図柄部に変動表示を行わせるとともに抽選部に当たり外れ抽選を行わせ、抽選部による抽選で当たりの場合でかつ通常停止制御部が最後に停止させる変動停止図柄部以外のすべての変動停止図柄部の当たり図柄を停止図柄表示部の当たり有効ライン上に停止表示した後に、特別停止制御部が遊技者の操作による特別停止指示手段からの特別停止指示を入力した場合に最後に停止させる変動停止図柄部の当たり図柄を停止図柄表示部の当たり有効ライン上に停止表示することにより、遊技者が当たり遊技を得られるようにしたので、抽選により当たりが成立している場合において、いわゆる目押しをできない遊技者が特別停止指示手段を操作することにより、当たり遊技を得るまでの遊技媒体の消費を少なくできるとともに、抽選により当たりが成立している場合においても、最後に停止させる変動停止図柄部以外のすべての変動停止図柄部の停止指示は遊技者が通常停止指示手段を操作することにより行い、最後に停止させる変動停止図柄部以外のすべての変動停止図柄部の当たり図柄を停止図柄表示部の当たり有効ライン上に停止表示させるためには遊技者の技術介入を伴うので、遊技性も損なわない。また、通常停止指示手段が、変動停止図柄部毎に対応して設けられているので、停止指示の誤操作を少なくできる。
また、抽選部による抽選で当たりの場合でかつ通常停止制御部が最後に停止させる変動停止図柄部以外のすべての変動停止図柄部の当たり図柄を停止図柄表示部の当たり有効ライン上に停止表示した後に、特別停止指示手段からの特別停止指示が特別停止制御部に入力されずに、通常停止制御部が遊技者の操作による最後の変動停止図柄部に対応する通常停止指示手段からの通常停止指示を所定のタイミングで入力した場合に最後に停止させる変動停止図柄部の当たり図柄を停止図柄表示部の当たり有効ライン上に停止表示することにより、遊技者が当たり遊技を得られるようにしたので、抽選により当たりが成立していて、かつ、変動停止図柄部以外のすべての変動停止図柄部の当たり図柄が停止図柄表示部の当たり有効ライン上に停止表示された場合において、通常停止指示手段を操作することにより、いわゆる目押しをできる遊技者にとっても遊技性が損なわれない遊技機が得られる。
また、最後に停止させる変動停止図柄部以外のすべての変動停止図柄部の当たり図柄が図柄停止表示部の当たり有効ライン上に停止表示されたことを検出する検出部を備え、この検出部からの検出信号を遊技制御部が入力してから所定時間が経過しても特別停止指示手段及び最後の変動停止図柄部に対応する通常停止指示手段が操作されず特別停止制御部及び通常停止制御部に停止指示が入力されない場合には通常停止制御部が最後に停止させる変動停止図柄部の当たり図柄を停止図柄表示部の当たり有効ライン上に停止表示させないことにより、遊技者が当たり遊技を得られないようにしたので、当たり遊技を得るためには遊技者による通常停止指示手段の操作あるいは通常停止指示手段の操作と特別停止指示手段の操作とが必要になるので、遊技性を損なわない遊技機が得られる。
また、変動停止図柄部が複数の当たり図柄を備え、特別停止指示手段が当たり図柄の種類毎に設けられ、特別停止制御部がどの当たり図柄に対応する特別停止指示手段からの特別停止指示であるか判定する特別停止指示判定部を備えたので、抽選によりいずれかの当たり図柄による当たりが成立しており、かつ、最後に停止させる変動停止図柄部以外のすべての変動停止図柄部の当たり図柄が停止図柄表示部の当たり有効ライン上に停止表示された場合において、その当たり図柄に対応する特別停止指示手段を操作すればよいので、どのような当たり図柄でも当たり有効ラインに確実に停止表示させることができ、いわゆる目押しをできない遊技者にとって操作が簡単でわかりやすい遊技機が得られる。
【０００６】
【発明の実施の形態】
図１は実施形態による遊技機としてのスロットマシンを示す正面図、図２はリールに取り付けられるリールテープ上の図柄配置図、図３は制御ブロック図、図４は制御の流れを示す制御フロー図、図５は特別停止ボタンスイッチ部や通常停止ボタンスイッチ部の断面図、図６はリールユニットの分解斜視図である。
スロットマシン１の筐体２の内部には図柄表示装置３及び制御装置４等が設置されている。図柄表示装置３は複数の図柄３Ａを備えたリールテープ５がリール本体６Ａに設けられて成るリール６がステップモータ７で回転駆動される図６に示すようなリールユニット８を複数備えたものである。ここでは、３つのリールユニット８が横に並べられて構成された図柄表示装置３を例にして説明する。図２に示すように、印刷などで複数の図柄３Ａが適宜間隔で配置されたリールテープ５は、図６に示すように、ドラム状のリール本体６Ａの外周面（あるいは内周面）に巻き付けられて取り付けられたり、あるいは、図示しないがステップモータで回転駆動される駆動リールと従動リールとに掛け渡されたりして取り付けられる。リールテープ５を用いずに、リール本体の周面に複数の図柄を印刷などにより設けてリールを構成してもよい。従って、複数の図柄３Ａを備えて回転するリール６（あるいは駆動リールと従動リールとに掛け渡されて回転するリールテープ５）により複数の図柄３Ａを上下方向又は左右方向に変動表示するとともに停止表示する変動停止図柄部が構成される。尚、図６において、６０はモータ取付板、６１はリールユニットの上板、６２はリールユニットの下板である。
【０００７】
筐体２の前板９は各リールユニット８の停止図柄を遊技者に見せるために３行３列で３×３個の停止図柄を表示する大きさに形成された表示枠１０とこの表示枠１０を塞ぐ透視性パネル１１とで構成された停止図柄表示部１２とを備え、遊技者はこの停止図柄表示部１２を介して各リールユニット８の変動停止図柄部としてのリール６が停止されたときの停止図柄を見ることができ、また、各リールユニット８のリール６が回転駆動され各リール６の複数の図柄が上から下に変動表示されている場合もこの停止図柄表示部１２を介して変動図柄を見ることができる。
また、筐体２の前板９には遊技開始操作レバー（遊技開始操作機構）１３が設けられ、各リールユニット８毎に対応して通常停止ボタンスイッチ部（通常停止指示手段）１４ａ，１４ｂ，１４ｃが設けられ、当たり図柄の種類毎に対応して特別停止ボタンスイッチ部（特別停止指示手段）１５ａ，１５ｂ，１５ｃが設けられ、また、遊技メダル投入口１６ａ、クレジット遊技メダル投入ボタン１７ａが設けられている。
また、筐体２の前板９には、遊戯可能表示ランプ１６、遊技メダル可能表示ランプ１７、リプレイ表示ランプ１８、遊技メダル保留数表示器１９、賞払出枚数表示器２０、精算ボタン２１等も設けられている。また、前板９の前面上部中央には図柄組み合わせ一覧表２２が図示されており、前板９の前面上部両側には内部に内蔵されたスピーカの音出口２３が設けられている。
特別停止ボタンスイッチ部１５ａ，１５ｂ，１５ｃや通常停止ボタンスイッチ部１４ａ，１４ｂ，１４ｃは例えば図５に示すような構造のものが用いられる。図５において、２５は押しボタン、２６は迫上ばね、２７はスイッチ、２８はスイッチ感応部、２９は押し体である。迫上ばね２６は押しボタン２５を前板９の内側より前板９の前面９ｆの方向に押し上げるばね力を押しボタン２５に与えるものである。また、特別停止ボタンスイッチ部１５ａ，１５ｂ，１５ｃの押しボタン２５は遊技者が操作しやすいように、停止図柄表示部１２の右横上部における前板９の前面９ｆより突出するよう上下に並べて設けられている。また、通常停止ボタンスイッチ部１４ａ，１４ｂ，１４ｃは停止図柄表示部１２の下方において前板９の前面９ｆより突出するよう左右に並べて設けられている。
【０００８】
１つのリールユニット８に対応する通常停止ボタンスイッチ部が遊技者の操作によりオンされてリール６が停止したときには停止図柄表示部１２の上下に３つの図柄３Ａが並ぶように停止表示される。従って、全てのリールユニット８のリール６が停止したときには停止図柄表示部１２には９個の図柄が停止表示される。この停止図柄表示部１２において決められている横のラインａ，ｂ，ｃ及び斜めのラインｄ，ｅが当たり図柄の組み合わせの対象となる当たり有効ラインとなる。例えば遊技メダルを一個投入して１ゲームを行う際には、横のラインにおける中央ラインａのみが当たり有効ラインとなり、遊技メダルを２個投入して１ゲームを行う際には３つの横のラインａ，ｂ，ｃが当たり有効ラインとなり、遊技メダルを３個投入して１ゲームを行う際には３つの横のラインａ，ｂ，ｃと２つの斜めラインｅ，ｄとが当たり有効ラインとなる。左、中央、右の３つリールユニット８を備えている場合において、左のリールユニット８のリールテープ５ａ、中央のリールユニット８のリールテープ５ｂ、右のリールユニット８のリールテープ５ｃに設けられた図柄配置は例えば図２に示すようになっている。図２においてはリールテープ５ａ〜５ｃを開いた状態で示しているが、実際にはリールテープ５ａ〜５ｃは各リールユニット８の各リール本体６Ａに巻き付けられて取り付けられ上端５ｔと下端５ｕとが接続されて輪状となる。図２において「７７」，「７」，「ＢＡＲ」は当たり図柄、△□○×は例えばベル，プラム，チェリー，リプレイ等の小役図柄である。
【０００９】
実施形態のスロットマシン１では、各リールユニット８のリール６の通常停止制御は、リール６の回転による図柄変動表示中に通常停止ボタンスイッチ部１４ａ〜１４ｃが操作されて通常停止制御部３３に停止指示が入力された時に当たり有効ラインを基準にして回転中のリール６の当たり図柄が当たり有効ラインから所定の範囲内にあるときには当たり有効ラインに当たり図柄が停止するよう通常停止制御部３３により制御される。即ち、ステップモータ７にはエンコーダ７０が設けられており、ステップモータ７の回転原点とエンコーダ７０の検出原点とが一致しており、かつ、いずれかの図柄（例えば図２の番号１の図柄）と原点とが一致するようにリールユニット８が組み立てられているので、通常停止制御部３３が通常停止ボタンスイッチ部１４ａ〜１４ｃからの通常停止指示を入力した時、エンコーダ７０からの角度情報（実際にはエンコーダ７０から出力されるパルス数による時間情報）に基づいて、抽選で当たりが成立している当たり図柄がどの角度位置のときに通常停止ボタンスイッチ部１４ａ〜１４ｃからの通常停止指示を入力したかを知ることができ、これにより、当たり図柄が当たり有効ラインから所定の範囲内にあるときに通常停止指示を入力したか否かを知ることができるので、当たり図柄が当たり有効ラインから所定範囲内にある場合にはエンコーダ７０からの角度情報に基づいてステップモータ７を停止制御することにより当たり有効ライン上に当たり図柄を停止表示させることができる。
【００１０】
左、中央、右のリールユニット８に対応する通常停止ボタンスイッチ部１４ａ〜１４ｃを左から順番に操作して左のリールユニット８，中央のリールユニット８，右のリールユニット８のリール６を順番に停止させていくスロットマシン１においては、右側のリールユニット８、即ち最後に停止させるリールユニット８のリール６のリールテープ５ｃには図２に示すように当たり図柄が少ないように図柄配置されているので、当たりが成立している場合でも、いわゆる目押しをできない遊技者が当たり有効ライン上にすべてのリールユニット８の当たり図柄を停止させることは困難である。即ち、抽選で当たりが成立している場合、左のリールユニット８と中央のリールユニット８のリール６を停止させて当たり有効ライン上に当たり図柄（「７７」、「７」、「ＢＡＲ」のいずれか）を停止させることは比較的容易であるが、通常停止ボタンスイッチ部１４ｃを操作して最後に停止させる右のリールユニット８の当たり図柄を当たり有効ライン上に停止させることはいわゆる目押しをできない遊技者にとっては困難だからである。
【００１１】
例えば、抽選で「７７」の当たりが成立している場合、左側のリールユニット８についてはリールテープ５ａ上における番号１〜６，１６〜２１の図柄（即ち、図２のＡで示す範囲にある図柄）が当たり有効ラインａ〜ｅ上に位置したタイミング（所定のタイミング）のときに通常停止ボタンスイッチ部１４ａからの通常停止指示が通常停止制御部３３に入力されれば通常停止制御部３３がエンコーダ７０からの角度情報に基づいてステップモータ７を制御していずれかの当たり有効ラインａ〜ｅ上に「７７」を停止表示する。
次に、中央のリールユニット８についてはリールテープ５ｂ上における番号３〜７，１６〜２０の図柄（即ち、図２のＢで示す範囲にある図柄）がいずれかの当たり有効ラインａ〜ｅ上に位置したタイミングのときに通常停止ボタンスイッチ部１４ｂからの通常停止指示が通常停止制御部３３に入力されれば通常停止制御部３３がエンコーダ７０からの角度情報に基づいてステップモータ７を制御して左のリールユニット８の当たり図柄が停止した当たり有効ライン上と連なる関連の当たり有効ラインａ〜ｅ上のいずれかに「７７」を停止表示する。つまり、「リーチ状態」を表示することになる。即ち、遊技メダルを３個投入して５つの有効ラインでゲームを行っている場合で、左側のリールユニット８の停止で当たり図柄が中央ラインａ上に停止表示された場合は中央のリールユニット８においては中央ラインａのみが関連の当たり有効ラインとなり、番号３〜７，１６〜２０の図柄がこの関連の当たり有効ラインａ上に位置したタイミングのときに通常停止ボタンスイッチ部１４ｂからの通常停止指示が通常停止制御部３３に入力されれば通常停止制御部３３がエンコーダ７０からの角度情報に基づいてステップモータ７を制御して中央のリールユニット８の当たり図柄「７７」を関連の当たり有効ラインａ上に停止表示する。左側のリールテープ５ａの停止で当たり図柄が上ラインｂに停止表示された場合は中央のリールユニット８においては上ラインｂと斜め下降ラインｄとが関連の当たり有効ラインとなり、番号３〜７，１６〜２０の図柄がこの関連の当たり有効ラインｂ又はｄ上に位置したタイミングのときに通常停止ボタンスイッチ部１４ｂからの通常停止指示が通常停止制御部３３に入力されれば通常停止制御部３３がエンコーダ７０からの角度情報に基づいてステップモータ７を制御して中央のリールユニット８の当たり図柄「７７」を関連の当たり有効ラインｂ又はｄ上に停止表示する。左側のリールテープ５ａの停止で当たり図柄が下ラインｃに停止表示された場合は中央のリールユニット８においては下ラインｃと斜め上昇ラインｅとが関連の当たり有効ラインとなり、番号３〜７，１６〜２０の図柄がこの関連の当たり有効ラインｃ又はｅ上に位置したタイミングのときに通常停止ボタンスイッチ部１４ｂからの通常停止指示が通常停止制御部３３に入力されれば通常停止制御部３３がエンコーダ７０からの角度情報に基づいてステップモータ７を制御して中央のリールユニット８の当たり図柄「７７」を関連の当たり有効ラインｃ又はｅ上に停止表示する。
右側（最後）のリールユニット８についてはリールテープ５ｃ上における番号１６〜２０の図柄（即ち、図２のＣで示す範囲にある図柄）が関連の当たり有効ラインａ〜ｅを通過する寸前のタイミングのときに通常停止ボタンスイッチ部１４ｃからの通常停止指示が通常停止制御部３３に入力されれば通常停止制御部３３がエンコーダ７０からの角度情報に基づいてステップモータ７を制御して右のリールユニット８の当たり図柄「７７」を関連の当たり有効ラインａ〜ｅ上のいずれかに停止表示する。逆に言えば右側（最後）のリールユニット８についてはリールテープ５ｃ上における番号１６〜２０の図柄以外の図柄が関連の当たり有効ラインａ〜ｅを通過したタイミングのときに通常停止ボタンスイッチ部１４ｃからの通常停止指示が通常停止制御部３３に入力されれば通常停止制御部３３がエンコーダからの角度情報に基づいてステップモータ７を制御して関連の当たり有効ラインａ〜ｅ上に当たり図柄「７７」を停止表示せずに、外れ図柄を停止表示する。他の当たり図柄「７」、「ＢＡＲ」の場合も同様である。よって、特に最後に停止させる右側のリールユニット８の当たり図柄を関連する当たり有効ライン上に停止させて当たり遊技を得ることは、目押しをできない遊技者にとって難しく、なかなか当たり遊技を得ることができないことになる。
【００１２】
そこで、実施形態では、上記のような通常停止ボタンスイッチ部１４ａ〜１４ｃ及び通常停止制御部３３による遊技性を保つとともに、抽選で当たりが成立している場合に目押しをできない遊技者が遊技メダルを消費することなく当たり遊技が得られるように最後に停止させるリールユニット８の当たり図柄の停止をアシストする特別停止ボタンスイッチ部１５ａ〜１５ｃ及び特別停止制御部３４を設けた。
【００１３】
図３に示すように、制御装置４は、遊技制御部３１と、当たり外れ抽選を行う抽選部３２と、通常停止制御部３３と、特別停止制御部３４と、リーチ検出部３５とを備え、抽選部３２は抽選テーブル３６を備え、特別停止制御部３４は特別停止指示判定部３７を備える。
【００１４】
次に図３，４を参照しながら動作を説明する。ここでは、左のリールユニット，中央のリールユニット，右のリールユニット（最後に停止させるリールユニット）の順番に停止させていくスロットマシンについて説明する。遊技メダル（遊技媒体）が投入され（ステップ１でＹＥＳ）、遊技開始操作レバー１３が操作されて１ゲームの開始が遊技制御部３１に指示されると（ステップ２でＹＥＳ）、遊技制御部３１は各リールユニット８のステップモータ７を駆動してリール６を回転させて図柄表示装置３に変動表示を行わせる（ステップ３）とともに、抽選部３２に当たり外れ抽選を行わせる（ステップ４）。遊技制御部３１は割り込みにより例えば４ｍｓ毎に遊技制御プログラムを実行し、この割り込みのタイミングを図外のカウンタでカウントしており、遊技開始操作レバー１３の操作に基づくスタート信号を遊技制御部３１が入力したときのカウンタのカウント値を抽選部３２が入力して、抽選部３２がそのカウント値を、カウンタ値と図柄組み合わせとが対応付けられた抽選テーブル３６に照合して当たり外れ抽選が行われる。当たり外れ抽選結果は遊技制御部３１に一時記憶され、抽選結果が当たりの場合は当たりフラグが立てられる。遊技者により左及び中央のリールユニット８，８に対応する通常停止ボタンスイッチ部１４ａ，１４ｂが操作されて（ステップ５）、通常停止指示が遊技制御部３１を介して通常停止制御部３３に入力されると、通常停止制御部３３は左及び中央のリールユニット８，８の停止制御を行い、リールユニット８，８の図柄が停止図柄表示部１２に停止表示される。この際、抽選結果が外れの場合でも、左側、中央のリールユニット８，８において関連する当たり有効ライン上に当たり図柄（例えば「７７」「７７」）が揃うように停止するいわゆるリーチの状態となる場合がある（ステップ６でＹＥＳ）が、抽選結果が外れの場合には、右のリールユニット８については、左、中央のリールユニット８，８の当たり図柄が停止表示された当たり有効ラインと関連する当たり有効ライン上に当たり図柄が停止表示されることはない。即ち、リーチ状態となっても抽選結果が外れの場合は通常停止ボタンスイッチ部１４ｃや特別停止ボタンスイッチ部１５ａ〜１５ｃが操作されて停止指示信号が遊技制御部３１に入力されたとしても遊技制御部３１により当たりフラグが立っていないことが確認され、通常停止制御部３３や特別停止制御部３４は右のリールユニット８の停止制御において関連する当たり有効ライン上に外れ図柄を停止表示させる制御を行う（ステップ７でＮＯ、ステップ１６）。
【００１５】
左側、中央のリールユニット８，８の停止表示によりいわゆるリーチ状態となり、かつ、抽選結果により当たりが成立している場合には（ステップ７でＹＥＳ）、そのリーチ状態を構成している当たり図柄に対応する特別停止ボタンスイッチ部を操作してオンすれば（ステップ８でＹＥＳ）、どの当たり図柄に対応する特別停止ボタンスイッチ部による特別停止指示が特別停止制御部３３に入力されたかが特別停止指示判定部３７により判定され、これにより特別停止制御部３３は抽選結果とエンコーダ７０からの角度情報とに基づいて右のリールユニット８のステップモータ７を制御し（ステップ９）、リーチ状態を構成している有効ライン上に右のリールユニット８の当たり図柄を停止表示させて当たり遊技となる（ステップ１０）。尚、特別停止ボタンスイッチ部１５ａは「７７」がリーチ状態で停止表示されている当たり有効ラインと関連する右のリールユニット８における当たり有効ライン上に「７７」を停止表示させる特別停止指示を出力し、特別停止ボタンスイッチ部１５ｂは「７」がリーチ状態で停止表示されている当たり有効ラインと関連する右のリールユニット８における当たり有効ライン上に「７」を停止表示させる特別停止指示を出力し、特別停止ボタンスイッチ部１５ｃは「ＢＡＲ」がリーチ状態で停止表示されている当たり有効ラインと関連する右のリールユニット８における当たり有効ライン上に「ＢＡＲ」を停止表示させる特別停止指示を出力するものである。
【００１６】
以上により、いわゆるリーチ状態となり、かつ、抽選により当たりが成立している場合において、いわゆる目押しをできない遊技者が特別停止ボタンスイッチ部１５ａ〜１５ｃを操作することにより、当たり遊技を得るまでの遊技メダルの消費を少なくできるとともに、抽選により当たりが成立している場合においても、最後に停止させる右のリールユニット８のリール６以外のすべてのリールユニット８のリール６の停止指示は遊技者が通常停止ボタンスイッチ部１４ａ，１４ｂを操作することにより行い、最後に停止させる右のリールユニット８のリール６以外のすべてのリールユニット８のリール６の当たり図柄を停止図柄表示部１２の当たり有効ライン上に停止表示させるためには遊技者の技術介入を伴うので、遊技性も損なわない。また、特別停止ボタンスイッチ部１５ａ〜１５ｃが当たり図柄の種類毎に設けられ、特別停止制御部３３がどの当たり図柄に対応する特別停止ボタンスイッチ部１５ａ〜１５ｃからの特別停止指示であるか判定する特別停止指示判定部３７を備えたので、抽選によりいずれかの当たり図柄による当たりが成立しており、かつ、最後に停止させる右のリールユニット８のリール６以外のすべてのリールユニット８のリール６の当たり図柄が停止図柄表示部１２の当たり有効ライン上に停止表示された場合において、その当たり図柄に対応する特別停止ボタンスイッチ部１５ａ〜１５ｃを操作すればよいので、どのような当たり図柄でも当たり有効ラインに確実に停止表示させることができ、いわゆる目押しをできない遊技者にとって操作が簡単でわかりやすいスロットマシン１が得られる。また、通常停止ボタンスイッチ部１４ａ〜１４ｃが、リールユニット８のリール６毎に対応して設けられているので、停止指示の誤操作を少なくできる。
【００１７】
特別停止ボタンスイッチ部１５ａ〜１５ｃを操作しない場合には（ステップ８でＮＯ）、右のリールユニット８のリール６の停止は、通常停止ボタンスイッチ部１４ｃと通常停止制御部３３とによる通常停止制御で行われる。例えば、リールテープ５ｃ上における番号１６〜２０の図柄（即ち、図２のＣで示す範囲にある図柄）が関連の当たり有効ラインａ〜ｅを通過する寸前のタイミングのときに通常停止ボタンスイッチ部１４ｃが操作されて通常停止指示が通常停止制御部３３に入力されれば通常停止制御部３３がリーチ状態「７７」「７７」を構成している当たり有効ラインと関連する当たり有効ライン上に右のリールユニット８の当たり図柄「７７」を停止表示させて当たり遊技となるが、リールテープ５ｃ上における番号１６〜２０の図柄以外の図柄が関連の当たり有効ラインａ〜ｅを通過するタイミングのときに通常停止ボタンスイッチ部１４ｃの操作による通常停止指示が通常停止制御部３３に入力されれば通常停止制御部３３がリーチ状態「７７」「７７」を構成している当たり有効ラインと関連する当たり有効ライン上に「７７」を停止表示せず、外れ図柄を停止表示する（ステップ１１でＹＥＳ、ステップ１２、ステップ１３、ステップ１４）。このようにすれば、いわゆる目押しをできる遊技者にとっても遊技性を損なわないスロットマシン１が得られる。
【００１８】
尚、リーチ検出部（検出部）３５でリーチ状態が検出されており（ステップ６でＹＥＳ）、かつ抽選により当たりが成立している場合（ステップ７でＹＥＳ）において、このリーチ検出部３５からの検出信号を遊技制御部３１が入力してから所定時間が経過しても、特別停止ボタンスイッチ部１５ｃ及び右のリールユニット８に対応する通常停止ボタンスイッチ部１５ｃが操作されず特別停止制御部３４及び通常停止制御部３３に停止指示が入力されない場合には（ステップ１５でＹＥＳ）、通常停止制御部３３が右のリールユニット８を通常停止制御する（ステップ１２）。この場合、通常停止制御部３３がリーチ状態を構成している当たり有効ラインと関連する当たり有効ライン上に当たり図柄を停止表示せず、外れ図柄を停止表示する（ステップ１４）。このようにすれば、遊技者が特別停止ボタンスイッチ部１５ａ〜１５ｃ及び通常停止ボタンスイッチ部１４ｃを操作しない限り、当たり遊技が得られることがない。従って、遊技者による操作介入なしに当たり図柄に停止して当たり遊技が得られることがなくなるので、遊技性を損なわないスロットマシン１が得られる。
【００１９】
尚、実施形態では、左、中央、右のリールユニットの順に停止させる場合を例にして右のリールユニットを最後に停止させるリールユニットとして説明したが、左、中央、右のリールユニットの順に停止させるのではなく、左、中央、右のリールユニットを順不同に停止させる場合には、最後に操作する通常停止ボタンスイッチ部に対応するリールユニットを最後に停止させるリールユニットとして上述した制御を行えばよい。
また、上から下に複数の図柄を変動表示するリールユニットを複数備えた図柄表示装置を用いた例を示したが、下から上に複数の図柄を変動表示するリールユニット、あるいは、左から右に複数の図柄を変動表示するリールユニット、あるいは、右から左に複数の図柄を変動表示するリールユニットを複数備えた図柄表示装置を用いてもよい。
また、通常停止ボタンスイッチ部を各リールユニット毎に対応して複数設けたが、通常停止ボタンスイッチ部を１つだけ設け、この通常停止ボタンスイッチ部を操作する毎に決められたリールユニットに対する通常停止指示が通常停止制御部に入力されるようにしてもよい。
また、３行３列で３×３個の停止図柄を表示する大きさに形成された停止図柄表示部１２を備える場合を説明したが、停止図柄表示部は、各リールユニットの停止図柄を遊技者に見せるためにｍ行ｎ列でｍ×ｎ個（ｍ，ｎのうちの一方は１以上の整数、他方は２以上の整数）の停止図柄を表示する大きさに形成されたものであればよい。
また、リールユニットによる図柄表示装置を用いた例を示したが、ｍ行ｎ列でｍ×ｎ個（ｍ，ｎのうちの一方は１以上の整数、他方は２以上の整数）の停止図柄を表示する大きさに形成された停止図柄表示部を備えた液晶などによる図柄表示装置を用いてもよい。この場合、液晶図柄表示面を覆う液晶図柄表示面の面積に対応した透視性パネルそのものが停止図柄表示部になり、液晶図柄表示面において複数の図柄が表示される１行又は１列の表示面が変動停止図柄部を構成する。
また、スロットマシンを例にして説明したが、本発明はパチンコ機にも適用できる。この場合、例えば、遊技領域に発射された球の入賞部品への入賞を契機として遊技制御部が図柄表示装置の各変動停止図柄部に変動表示を行わせるとともに抽選部に当たり外れ抽選を行わせるよう構成すればよい。
また、図柄表示装置は、複数の図柄を上下方向又は左右方向に変動表示するとともに停止表示する変動停止図柄部を複数備えたものに限らず、どのような態様にしろ複数の図柄を変動表示するとともに停止表示する変動停止図柄部を複数備えたものであればよく、停止図柄表示部も各変動停止図柄部を遊技者に見せるよう形成されたものであればよい。
【図面の簡単な説明】
【図１】本発明の実施形態による遊技機としてのスロットマシンを示す正面図。
【図２】同スロットマシンのリールに取り付けられるリールテープ上の図柄配置図。
【図３】同スロットマシンの制御ブロック図。
【図４】同スロットマシンの制御の流れを示す制御フロー図。
【図５】同スロットマシンの特別停止ボタンスイッチ部や通常停止ボタンスイッチ部の断面図。
【図６】同スロットマシンのリールユニットの分解斜視図。
【符号の説明】
１  スロットマシン、３  図柄表示装置、４  制御装置、
５（５ａ〜５ｃ）  リールテープ（変動停止図柄部）、
６  リール（変動停止図柄部）、６Ａ  リール本体、
８  リールユニット、１２  停止図柄表示部、
１３  遊技開始操作レバー（遊技開始操作機構）、
１４ａ〜１４ｃ  通常停止ボタンスイッチ部（通常停止指示手段）、
１５ａ〜１５ｃ  特別停止ボタンスイッチ部（特別停止指示手段）、
３１  遊技制御部、３２  抽選部、３３  通常停止制御部、
３４  特別停止制御部、３５  リーチ検出部（検出部）、
３７  特別停止指示判定部。
【図１】
2005021514.tif 000003
【図２】
2005021514.tif 000004
【図３】
2005021514.tif 000005
【図４】
2005021514.tif 000006
【図５】
2005021514.tif 000007
【図６】
2005021514.tif 000008